(57)【特許請求の範囲】
【請求項１】
ＬＴＥライセンス支援アクセス（ＬＡＡ）ベースの通信システムで使用するためのサービング・ノードにおけるチャネルの測定およびフィードバックのための方法であって、
少なくとも１つのアンライセンス・チャネルが空いているかどうかを検知するユーザ機器が使用する少なくとも１つのエネルギー検知しきい値および少なくとも１つのアンライセンス・チャネルについての少なくとも１つのレイヤ１チャネル指示メッセージを送信するために前記ユーザ機器によって使用される少なくとも１つのＰＵＣＣＨリソースを示す少なくとも１つのＰＵＣＣＨリソース・ロケーション・インジケータを含むＲＲＣ接続再構成メッセージを前記ユーザ機器に送信するステップと、
前記少なくとも１つのエネルギー検知しきい値および前記少なくとも１つのアンライセンス・チャネルに対応する前記少なくとも１つのＰＵＣＣＨリソース・ロケーション・インジケータに従って、前記少なくとも１つのアンライセンス・チャネルが空いているかどうかを示す前記少なくとも１つのレイヤ１チャネル指示メッセージを、前記少なくとも１つのＰＵＣＣＨリソース上の前記ユーザ機器からライセンス・チャネルを経由して受信するステップと
を含む方法。
【請求項２】
前記ＲＲＣ接続再構成メッセージは、
前記ユーザ機器が前記少なくとも１つのアンライセンス・チャネルを検知し、前記少なくとも１つのアンライセンス・チャネルについての前記少なくとも１つのレイヤ１チャネル指示メッセージを送信する少なくとも１つの検知期間と、
前記ユーザ機器が前記少なくとも１つのアンライセンス・チャネルの検知を開始すべき少なくとも１つの開始ポイントを示す少なくとも１つのサブフレーム・オフセットと、
前記少なくとも１つのＰＵＣＣＨリソースを符号分割多重化する際に前記ユーザ機器を支援するための少なくとも１つのＰＵＣＣＨリソース・インデックスとをさらに含んでおり、
前記受信するステップは、前記少なくとも１つの検知期間、前記少なくとも１つのサブフレームオフセット、および前記少なくとも１つのアンライセンス・チャネルに対応する前記少なくとも１つのＰＵＣＣＨリソース・インデックスに従って周期的に前記ユーザ機器から符号分割多重化された少なくとも１つのＰＵＣＣＨリソース上のライセンス・チャネルを介して前記少なくとも１つのレイヤ１チャネル指示メッセージを受信するステップ
をさらに含む、請求項１に記載の方法。
【請求項３】
前記ユーザ機器からＲＲＣ接続再構成完了メッセージを受信するステップ
をさらに含む、請求項１に記載の方法。
【請求項４】
前記ユーザ機器が前記少なくとも１つのアンライセンス・チャネルを検知するべきであると示すアンライセンス・チャネル検知トリガ・コマンドを前記ユーザ機器に送信するステップと、
ＰＵＳＣＨを通して前記ユーザ機器から前記ライセンス・チャネルを経由して前記レイヤ１チャネル指示メッセージを受信するステップと
をさらに含む、請求項３に記載の方法。
【請求項５】
前記アンライセンス・チャネル検知トリガ・コマンドは、ＭＡＣ制御要素と、レイヤ１コマンドとを含む、請求項４に記載の方法。
【請求項６】
前記レイヤ１チャネル指示メッセージは、前記サービング・ノードがＷＬＡＮトランシーバ能力を有していないことに応答して、前記少なくとも１つのアンライセンス・チャネルが空いているかどうかを示す１ビットを含む、請求項１に記載の方法。
【請求項７】
前記少なくとも１つのレイヤ１チャネル指示メッセージは、前記サービング・ノードがＷＬＡＮトランシーバ能力を有することに応答して、宛先フィールドと、前記少なくとも１つのアンライセンス・チャネルの空いている持続時間を示すための持続時間フィールドとを含む、請求項１に記載の方法。
【請求項８】
前記サービング・ノードは、ＷＬＡＮアクセス・ノードと、基地局とを含む、請求項１に記載の方法。
【請求項９】
ＬＴＥライセンス支援アクセス（ＬＡＡ）ベースの通信システム内のユーザ機器で使用するためのチャネルの測定およびフィードバックのための方法であって、
少なくとも１つのアンライセンス・チャネルに対応している少なくとも１つのエネルギー検知しきい値および少なくとも１つのアンライセンス・チャネルに対応する前記少なくとも１つのＰＵＣＣＨリソース・ロケーション・インジケータを含むＲＲＣ接続再構成メッセージをサービング・ノードから受信するステップと、
前記少なくとも１つのアンライセンス・チャネルが空いているかどうかを決定するために、前記少なくとも１つのエネルギー検知しきい値に従って前記少なくとも１つのアンライセンス・チャネルを検知するステップと、
前記少なくとも１つのＰＵＣＣＨリソース・ロケーション・インジケータに従って、前記少なくとも１つのアンライセンス・チャネルについての少なくとも１つのレイヤ１チャネル指示メッセージを送信するために、前記ユーザ機器が使用すべき少なくとも１つのＰＵＣＣＨリソースを決定するステップと、
前記少なくとも１つのアンライセンス・チャネルが空いているかどうかを示す前記少なくとも１つのレイヤ１チャネル指示メッセージを、ライセンス・チャネルを経由して前記少なくとも１つのＰＵＣＣＨリソース上の前記サービング・ノードに送信するステップと
を含む方法。
【請求項１０】
前記ＲＲＣ接続再構成メッセージは、少なくとも１つの検知期間と、少なくとも１つのサブフレーム・オフセットと、少なくとも１つのＰＵＣＣＨリソース・インデックスとをさらに含んでおり、これらはそれぞれ前記少なくとも１つのアンライセンス・チャネルに対応しており、
前記検知する前記ステップは、
前記少なくとも１つのサブフレーム・オフセットに従って、前記ユーザ機器が前記少なくとも１つのアンライセンス・チャネルの検知を開始すべき少なくとも１つの開始ポイントを決定し、前記少なくとも１つのアンライセンス・チャネルが空いているかどうかを決定するために、前記少なくとも１つの検知期間に従って前記少なくとも１つのアンライセンス・チャネルを定期的に検知するステップをさらに含み、
前記送信する前記ステップは、
前記少なくとも１つのＰＵＣＣＨリソース・インデックスに従って前記少なくとも１つのＰＵＣＣＨリソースを符号分割多重化するステップと、
前記少なくとも１つの検知期間に従って、前記ライセンス・チャネルを経由して、前記符号分割多重化された少なくとも１つのＰＵＣＣＨリソース上で、前記少なくとも１つのレイヤ１チャネル指示メッセージを定期的に前記サービング・ノードに送信するステップと
をさらに含む、請求項９に記載の方法。
【請求項１１】
前記サービング・ノードにＲＲＣ接続再構成完了メッセージを送信するステップ
をさらに含む、請求項９に記載の方法。
【請求項１２】
前記サービング・ノードから、前記少なくとも１つのアンライセンス・チャネルを検知する前記ユーザ機器を指示するアンライセンス・チャネル検知トリガ・コマンドを受信するステップと、
前記少なくとも１つのレイヤ１チャネル指示メッセージをアップリンク・データおよび他の制御シグナリングと時分割多重化するステップと、
ＰＵＳＣＨを通して前記ライセンス・チャネルを経由して、前記時分割多重化された少なくとも１つのレイヤ１チャネル指示メッセージを前記サービング・ノードに送信するステップ
をさらに含む、請求項１１に記載の方法。
【請求項１３】
前記少なくとも１つのレイヤ１チャネル指示メッセージは、前記サービング・ノードがＷＬＡＮトランシーバ能力を有していないことに応答して、前記少なくとも１つのアンライセンス・チャネルが空いているかどうかを示す１ビットを含む、請求項９に記載の方法。
【請求項１４】
前記少なくとも１つのレイヤ１チャネル指示メッセージは、前記サービング・ノードがＷＬＡＮトランシーバ能力を有することに応答して、宛先フィールドと、前記少なくとも１つのアンライセンス・チャネルの空いている持続時間を示すための持続時間フィールドとを含む、請求項９に記載の方法。
【請求項１５】
ＬＴＥライセンス支援アクセス（ＬＡＡ）ベースの通信システムで使用するための、チャネルの測定およびフィードバックのためのサービング・ノードであって、
コンピュータ読み取り可能な命令を格納するメモリと、
前記コンピュータ読み取り可能な命令を実行して、前記サービング・ノードに、
少なくとも１つのアンライセンス・チャネルが空いているかどうかを検知するユーザ機器が使用する少なくとも１つのエネルギー検知しきい値および少なくとも１つのアンライセンス・チャネルについての少なくとも１つのレイヤ１チャネル指示メッセージを送信するために前記ユーザ機器によって使用される少なくとも１つのＰＵＣＣＨリソースを示す少なくとも１つのＰＵＣＣＨリソース・ロケーション・インジケータを含むＲＲＣ接続再構成メッセージを前記ユーザ機器に送信させ、
前記少なくとも１つのエネルギー検知しきい値および前記少なくとも１つのアンライセンス・チャネルに対応する前記少なくとも１つのＰＵＣＣＨリソース・ロケーション・インジケータに従って、前記少なくとも１つのアンライセンス・チャネルが空いているかどうかを示す前記少なくとも１つのレイヤ１チャネル指示メッセージを、前記少なくとも１つのＰＵＣＣＨリソース上の前記ユーザ機器からライセンス・チャネルを経由して受信させるプロセッサとを備えるサービング・ノード。
【請求項１６】
ＬＴＥライセンス支援アクセス（ＬＡＡ）ベースの通信システムで使用するためのチャネルの測定およびフィードバックのためのユーザ機器であって、
コンピュータ読み取り可能な命令を格納するメモリと、
前記コンピュータ読み取り可能な命令を実行して、前記ユーザ機器に、
少なくとも１つのアンライセンス・チャネルに対応している少なくとも１つのエネルギー検知しきい値および少なくとも１つのアンライセンス・チャネルに対応する前記少なくとも１つのＰＵＣＣＨリソース・ロケーション・インジケータを含むＲＲＣ接続再構成メッセージをサービング・ノードから受信させ、
前記少なくとも１つのアンライセンス・チャネルが空いているかどうかを決定するために、前記少なくとも１つのエネルギー検知しきい値に従って、前記少なくとも１つのアンライセンス・チャネルを検知させ、
前記少なくとも１つのＰＵＣＣＨリソース・ロケーション・インジケータに従って、前記少なくとも１つのアンライセンス・チャネルについての少なくとも１つのレイヤ１チャネル指示メッセージを送信するために、前記ユーザ機器が使用すべき少なくとも１つのＰＵＣＣＨリソースを決定させ、
前記少なくとも１つのアンライセンス・チャネルが空いているかどうかを示す前記少なくとも１つのレイヤ１チャネル指示メッセージを、ライセンス・チャネルを経由して前記少なくとも１つのＰＵＣＣＨリソース上のサービング・ノードに送信させるプロセッサとを備えるユーザ機器。
【発明の詳細な説明】
【技術分野】
【０００１】
本発明は、通信技術に関し、より詳細には、ＬＴＥライセンス支援アクセス（ＬＡＡ：ｌｉｃｅｎｓｅｄ−ａｓｓｉｓｔｅｄ  ａｃｃｅｓｓ）ベースの通信システムにおける高速なチャネルの測定およびフィードバックのための方法および装置に関する。
【背景技術】
【０００２】
増大するトラフィック要求と共に、セルラー事業者は、Ｒｅｌ−１３についてのＬＴＥ、すなわち、ＬＴＥ−Ｕにアンライセンス・スペクトル（ｕｎｌｉｃｅｎｓｅｄ  ｓｐｅｃｔｒｕｍ）を使用する実現可能性を評価することを計画している。ＬＴＥ−Ｕの第１のステージは、補助的ダウンリンク（ＳＤＬ：Ｓｕｐｐｌｅｍｅｎｔａｌ  Ｄｏｗｎｌｉｎｋ）としてのアンライセンス・キャリアを、ライセンス・バンド（ｌｉｃｅｎｓｅｄ  ｂａｎｄｓ）の中の一次キャリアと集約することになる。
【０００３】
これらのアンライセンス・バンド／チャネルでは、複数のＲＡＴノード、例えば、ＬＴＥノード、ワイファイ（ＷｉＦｉ）ノードなどが、互いに共存することができる。図１は、ＬＴＥ−Ｕネットワークと、ＬＴＥ−Ｕネットワークとの間の、またはＬＴＥ−ＵＥネットワークと、ワイファイ・ネットワークとの間の、よく知られている隠れノード問題などのＲＡＴ間干渉問題を示すものである。ワイファイからワイファイの隠れノード問題では、ＲＴＳ／ＣＴＳメカニズムを利用した衝突回避を伴う、よく知られているＣＳＭＡが使用される。そのようなメカニズムにおいては、リッスン・ビフォア・トーク（Ｌｉｓｔｅｎ  Ｂｅｆｏｒｅ  Ｔａｌｋ）が使用され、ここでは、ワイファイのＡＰまたは端末は、パケットを送信する前には必ずチャネルを検知することになる。
【０００４】
アンライセンス・バンドにおいてＬＴＥ−Ｕを他のＲＡＴノードと共存させるために、リッスン・ビフォア・トーク・メカニズムを利用したＣＳＭＡが必要とされる。次に、ワイファイにおける任意のノードの場合には、ノードは、それが別のノードにデータを送信したいと思うときにそのノードにＲＴＳを送信することができ、また受信ノードは、ＣＴＳを用いて応答する必要がある。しかしながら、ＬＴＥ−Ｕの第１のバージョンにおけるアップリンクはライセンス・スペクトルを使用するので、元のＣＴＳの役割は制限される。これは、隣接ノードが、ＣＴＳを受信するためにアンライセンス・バンドをリッスンしないためである。それゆえに、ワイファイにおけるＣＴＳフィードバックをＬＴＥ−Ｕで直接使用することはできないことが理解できる。
【０００５】
他方では、ユーザ機器（ＵＥ）が、発見参照信号（ＤＲＳ：ｄｉｓｃｏｖｅｒｙ  ｒｅｆｅｒｅｎｃｅ  ｓｉｇｎａｌ）ベースのＣＱＩをサービング・ノードに報告して、サービング・ノードにアンライセンス・チャネルの状況を決定させる場合には、以下の問題が現れるであろう。ＬＴＥ−Ｕのオフからオンへの遷移の場合には、ＤＲＳが、定期的に、例えば、４０／８０／１６０ミリ秒ごとに送信されるので、ＤＲＳ−ベースのＣＱＩは、チャネル状況を知らせるには十分に速くはない可能性がある。それゆえに、ＤＲＳ−ベースのＣＱＩは、チャネルを示すためには適切ではないこともある。
【０００６】
さらに、ＵＥが、ロング・タームＬ３レイヤ・レポートを使用して、アンライセンス・チャネルの状況を示す場合には、チャネル状況を敏速に反映することができないという欠点も現れるであろう。
【発明の概要】
【発明が解決しようとする課題】
【０００７】
上記を考慮して、本発明は、ＬＴＥライセンス支援アクセス（ＬＡＡ）ベースの通信システムにおける高速なチャネルの測定およびフィードバックのための方法および装置を提案し、この方法および装置においては、ダウンリンクは、アンライセンス・チャネルを使用し、アップリンクは、ライセンス・チャネルを使用する。
【課題を解決するための手段】
【０００８】
本発明の第１の態様によれば、ＬＴＥライセンス支援アクセス（ＬＡＡ）ベースの通信システムの中のサービング・ノードにおける高速なチャネルの測定およびフィードバックのための方法であって、Ａ．少なくとも１つのアンライセンス・チャネルに対応している少なくとも１つのエネルギー検知しきい値を含むＲＲＣ接続再構成メッセージをユーザ機器に送信するステップと、Ｄ．アンライセンス・チャネルが空いているかどうかを示すレイヤ１チャネル指示メッセージをユーザ機器からライセンス・チャネルを経由して受信するステップとを含む方法が、提供される。
【０００９】
有利には、ＲＲＣ接続再構成メッセージは、少なくとも１つの検知期間と、少なくとも１つのサブフレーム・オフセットと、少なくとも１つのＰＵＣＣＨリソース・ロケーション・インジケータと、少なくとも１つのＰＵＣＣＨリソース・インデックスとをさらに含んでおり、これらはそれぞれ、少なくとも１つのアンライセンス・チャネルに対応しており、ここで、検知期間を使用して、対応するアンライセンス・チャネルを検知しその対応するアンライセンス・チャネルについてのレイヤ１チャネル指示メッセージを送信するためにユーザ機器により使用される期間を示し、サブフレーム・オフセットを使用して、ユーザ機器が対応するアンライセンス・チャネルを検知する開始ポイントを示し、ＰＵＣＣＨリソース・ロケーション・インジケータを使用して、対応するアンライセンス・チャネルについてのレイヤ１チャネル指示メッセージを送信するためにユーザ機器により使用されるＰＵＣＣＨリソースを示し、ＰＵＣＣＨリソース・インデックスを使用して、ＰＵＣＣＨリソースを符号分割多重化する際にユーザ機器を支援し、ステップＤは、ユーザ機器からＰＵＣＣＨリソース上のライセンス・チャネルを経由して、定期的にレイヤ１チャネル指示メッセージを受信するステップをさらに含んでいる。
【００１０】
有利には、本方法は、ステップＡとステップＤとの間にステップＢ、すなわち、Ｂ．ユーザ機器からＲＲＣ接続再構成完了メッセージを受信するステップ、をさらに含んでいる。
【００１１】
有利には、本方法は、ステップＢとステップＤとの間にステップＣ、すなわち、Ｃ．少なくとも１つのアンライセンス・チャネルを検知するようにユーザ機器に指示するアンライセンス・チャネル検知トリガ・コマンドをユーザ機器に送信するステップをさらに含み、ステップＤは、ＰＵＳＣＨを通してユーザ機器からライセンス・チャネルを経由してレイヤ１チャネル指示メッセージを受信するステップをさらに含んでいる。
【００１２】
有利には、アンライセンス・チャネル検知トリガ・コマンドは、ＭＡＣ制御要素と、レイヤ１コマンドとを含む。
【００１３】
有利には、レイヤ１チャネル指示メッセージは、サービング・ノードがＷＬＡＮトランシーバ能力を有していないときに、アンライセンス・チャネルが空いているかどうかを示す１ビットを含んでいる。
【００１４】
有利には、レイヤ１チャネル指示メッセージは、サービング・ノードがＷＬＡＮトランシーバ能力を有するときに、宛先フィールドと、アンライセンス・チャネルの空いている持続時間を示すための持続時間フィールドとを含む。
【００１５】
有利には、サービング・ノードは、ＷＬＡＮアクセス・ノードと、基地局とを含む。
【００１６】
本発明の第２の態様によれば、ＬＴＥライセンス支援アクセス（ＬＡＡ）ベースの通信システム内のユーザ機器における高速なチャネルの測定およびフィードバックのための方法であって、ａ．少なくとも１つのアンライセンス・チャネルに対応している少なくとも１つのエネルギー検知しきい値を含むＲＲＣ接続再構成メッセージをサービング・ノードから受信するステップと、ｄ．対応するアンライセンス・チャネルが空いているかどうかを決定するために、エネルギー検知しきい値に従って対応するアンライセンス・チャネルを検知するステップと、ｅ．その対応するアンライセンス・チャネルが空いているかどうかを示すレイヤ１チャネル指示メッセージを、ライセンス・チャネルを経由してサービング・ノードに送信するステップと、を含む方法が提供される。
【００１７】
有利には、ＲＲＣ接続再構成メッセージは、少なくとも１つの検知期間と、少なくとも１つのサブフレーム・オフセットと、少なくとも１つのＰＵＣＣＨリソース・ロケーション・インジケータと、少なくとも１つのＰＵＣＣＨリソース・インデックスとをさらに含んでおり、これらはそれぞれ、少なくとも１つのアンライセンス・チャネルに対応しており、ステップｄは、サブフレーム・オフセットに基づいて、対応するアンライセンス・チャネルを検知する開始ポイントを決定し、対応するアンライセンス・チャネルが空いているかどうかを決定するために、検知期間に基づいて、エネルギー検知しきい値に従って対応するアンライセンス・チャネルを定期的に検知するステップ、をさらに含み、ステップｅは、ｅ１．ＰＵＣＣＨリソース・ロケーション・インジケータに従って、対応するアンライセンス・チャネルについてのレイヤ１チャネル指示メッセージを送信するために使用されるＰＵＣＣＨリソースを決定するステップと、ｅ２．ＰＵＣＣＨリソース・インデックスに従ってＰＵＣＣＨリソースを符号分割多重化し、それにより、検知期間に基づいて、ライセンス・チャネルを経由して、符号分割多重化されたＰＵＣＣＨリソース上で、レイヤ１チャネル指示メッセージを定期的にサービング・ノードに送信するステップと、をさらに含む。
【００１８】
有利には、本方法は、ステップａとステップｄとの間にステップｂ、すなわち、サービング・ノードにＲＲＣ接続再構成完了メッセージを送信するステップをさらに含んでいる。
【００１９】
有利には、本方法は、ステップｂとステップｄとの間にステップｃ、すなわち、ｃ．サービング・ノードから、少なくとも１つのアンライセンス・チャネルを検知するようにユーザ機器に指示するアンライセンス・チャネル検知トリガ・コマンドを受信するステップをさらに含み、ステップｅは、レイヤ１チャネル指示メッセージをアップリンク・データおよび他の制御シグナリングと時分割多重化し、ＰＵＳＣＨを通してライセンス・チャネルを経由して、時分割多重化されたレイヤ１チャネル指示メッセージを送信するステップ、をさらに含む。
【００２０】
本発明の第３の態様によれば、ＬＴＥライセンス支援アクセス（ＬＡＡ）ベースの通信システムの中のサービング・ノードにおける高速なチャネルの測定およびフィードバックのための装置であって、少なくとも１つのアンライセンス・チャネルに対応している少なくとも１つのエネルギー検知しきい値を含むＲＲＣ接続再構成メッセージをユーザ機器に送信するように構成されたＲＲＣ接続再構成メッセージ送信ユニットと、アンライセンス・チャネルが空いているかどうかを示すレイヤ１チャネル指示メッセージを、ユーザ機器からライセンス・チャネルを経由して受信するように構成されたレイヤ１チャネル指示メッセージ受信ユニットと、を備えている装置が、提供される。
【００２１】
本発明の第４の態様によれば、ＬＴＥライセンス支援アクセス（ＬＡＡ）ベースの通信システムの中のユーザ機器における高速なチャネルの測定およびフィードバックのための装置であって、少なくとも１つのアンライセンス・チャネルに対応している少なくとも１つのエネルギー検知しきい値を含むＲＲＣ接続再構成メッセージをサービング・ノードから受信するように構成されたＲＲＣ再構成メッセージ受信ユニットと、その対応するアンライセンス・チャネルが空いているかどうかを決定するために、エネルギー検知しきい値に従って、対応するアンライセンス・チャネルを検知するように構成された検知ユニットと、対応するアンライセンス・チャネルが空いているかどうかを示すレイヤ１チャネル指示メッセージを、ライセンス・チャネルを経由してサービング・ノードに送信するように構成されたレイヤ１チャネル指示メッセージ送信ユニットと、を備えている装置が提供される。
【発明の効果】
【００２２】
本発明を用いて、基地局やワイファイ・アクセス・ポイントなどのサービング・ノードは、アンライセンス・チャネルの状況を高速かつ確実に取得することができる。サービング・ノードは、アンライセンス・チャネルが空いている時間にアンライセンス・チャネルを使用することができる。それゆえに、システム全体のスループットが向上する可能性がある。上記の定期的な解決手法および非定期的な解決手法は、隠れノード問題を解決することができる。
【００２３】
非限定的な実施形態についての以下の詳細な説明を参照すれば、本発明の他の特徴、目的、および利点が、より明らかになるであろう。
【図面の簡単な説明】
【００２４】
【図１】隠れノード問題の概略図である。
【図２】本発明の一実施形態による、ＬＴＥライセンス支援アクセス（ＬＡＡ）ベースの通信システムにおける高速なチャネルの測定およびフィードバックのための方法の方法フローチャートを示す図である。
【図３】本発明の一実施形態によるＰＵＣＣＨフォーマット４リソース・ブロックの概略図である。
【図４】本発明の別の実施形態による、ＬＴＥライセンス支援アクセス（ＬＡＡ）ベースの通信システムにおける高速なチャネルの測定およびフィードバックのための方法の方法フローチャートを示す図である。
【図５】本発明の一実施形態によるＭＡＣ制御要素の概略図である。
【図６】本発明の一実施形態による、レイヤ１チャネル指示メッセージを時分割多重化する概略図である。
【図７】本発明の別の実施形態による、ＬＴＥライセンス支援アクセス（ＬＡＡ）ベースの通信システムにおける高速なチャネルの測定およびフィードバックのための装置の概略図である。
【発明を実施するための形態】
【００２５】
同じ、または類似した参照符号は、同じ、または類似した装置（モジュール）もしくはステップを指している。
【００２６】
本解決手法の基本的な概念は、新しいレイヤ１チャネル指示メッセージを導入することである。この新しいレイヤ１チャネル指示メッセージは、ＲＡＴ間信号もしくは他のＲＡＴのパイロットに対するエネルギー検出および／または測定に基づいている。前記レイヤ１チャネル指示メッセージは、以下の機能を、有するであろう。
１）以前のＣＴＳとして、例えば、アンライセンス・チャネルにおいて動作するサービング・ノードからＲＴＳに対する応答としての役割を果たす機能。
２）アンライセンス・チャネルがビジー状態であるかどうかを示す機能。
３）アンライセンス・チャネルの空いている持続時間を示す機能。
【００２７】
アンライセンス・チャネルはいくつかのＲＡＴノードによって共用されるので、このチャネルの占有状態は動的であり、またそれゆえに、ＬＴＥ−Ｕ基地局は、チャネルが空いているときはいつでも、できるだけ速くこのチャネルを獲得できる必要があるはずである。これを認識すると、レイヤ１チャネル指示メッセージ・フィードバックが有利である。反対に、従来のＲＲＣ測定フィードバックは、この目的のためにはあまりにも低速である。
【００２８】
さらに、背景技術において説明されるように、ＤＲＳの送信周波数は低い。それゆえに、レイヤ１ＤＲＳ−ベースのＣＱＩも適切ではない。
【００２９】
このレイヤ１チャネル指示メッセージのキー・ポイントは、以下を含んでいる。すなわち、
１．サービング・ノードの構成の下で、レイヤ１チャネル指示メッセージは、定期的に、または非定期的に報告される可能性がある。さらに、サービング・ノードは、アンライセンス・チャネルについてのエネルギー検知しきい値パラメータと、他のパラメータとを構成することができる。ＵＥは、アンライセンス・チャネルを検知し、またサービング・ノードに対してレイヤ１チャネル指示メッセージとしての結果を送信する。
２．レイヤ１チャネル指示メッセージは、ＰＵＣＣＨで、またはライセンス・チャネルのＰＵＳＣＨリソースで送信される可能性がある。
【００３０】
レイヤ１チャネル指示メッセージが定期的なものとして構成される場合、レイヤ１チャネル指示メッセージは、ＰＵＣＣＨで送信される。各ＵＥには、専用のＰＵＣＣＨリソースが割り当てられる可能性があり、このＰＵＣＣＨリソースは、アンライセンス・チャネルに対応している。これは、各アンライセンス・チャネルが、専用のＰＵＣＣＨリソースに対応していることを意味する。専用のＰＵＣＣＨリソースは、送信期間、サブフレーム・オフセットなどによって識別できる可能性がある。この専用のＰＵＣＣＨリソースでは、レイヤ１チャネル指示メッセージが送信される専用のＰＵＣＣＨリソースからアンライセンス・チャネルのＩＤが暗黙的に知られるので、アンライセンス・チャネルＩＤを提供する必要はない。ここで、新しい専用のＰＵＣＣＨリソース、すなわちＰＵＣＣＨフォーマット４が提案される。ＵＥが、チャネルが使用のために使用可能であることを検出すると、ＵＥは、次の許可された期間にレイヤ１チャネル指示メッセージを送信する。
【００３１】
レイヤ１チャネル指示メッセージが非定期的なものとして構成される場合、レイヤ１チャネル指示メッセージはＰＵＳＣＨで送信され、ＵＬデータおよび他の制御シグナリングと多重化される。ここで、サービング・ノードは、ライセンス・チャネルを経由してＵＥに対してアンライセンス・チャネル検知トリガ・コマンドを送信する。本発明の一実施形態においては、このアンライセンス・チャネル検知トリガ・コマンドは、例えば、検知されるアンライセンス・チャネルのＩＤを含んでいる。
【００３２】
以下で図面を参照して、各実施形態を詳細に説明する。
【００３３】
図２は、本発明の一実施形態によるＬＴＥライセンス支援アクセス（ＬＡＡ）ベースの通信システムにおける高速のチャネルの測定およびフィードバックのための方法の方法フローチャートを示すものである。図２の実施形態においては、ＵＥは、定期的に、サービング・ノードにレイヤ１チャネル指示メッセージを送信することになる。
【００３４】
図２に示されるように、ステップＳ２０１において、サービング・ノードは、ＵＥにＲＲＣ接続再構成メッセージを送信する。このＲＲＣ接続再構成メッセージは、以下のパラメータ、すなわち、少なくとも１つのエネルギー検知しきい値と、少なくとも１つの検知期間と、少なくとも１つのサブフレーム・オフセットと、少なくとも１つのＰＵＣＣＨリソース・ロケーション・インジケータ
【数１】
0006542881.tif 000002
と、少なくとも１つのＰＵＣＣＨリソース・インデックス
【数２】
0006542881.tif 000003
とを含む。これらのパラメータは、それぞれ、少なくとも１つのアンライセンス・チャネルに対応している。
【００３５】
本明細書においては、対応するアンライセンス・チャネルについてのエネルギー検知しきい値を使用して、ＵＥが、エネルギー検知しきい値に基づいて、アンライセンス・チャネルを検知することを示す。
【００３６】
対応するアンライセンス・チャネルについての検知期間を使用して、対応するアンライセンス・チャネルを検知し、また対応するアンライセンス・チャネルについてのレイヤ１チャネル指示メッセージを送信するためにＵＥによって使用される期間を示す。
【００３７】
対応するアンライセンス・チャネルについてのサブフレーム・オフセットを使用して、ＵＥが、対応するアンライセンス・チャネルを検知する開始ポイントを示す。
【００３８】
ＰＵＣＣＨリソース・ロケーション・インジケータ
【数３】
0006542881.tif 000004
を使用して、対応するアンライセンス・チャネルについてのレイヤ１チャネル指示メッセージを送信するためにＵＥによって使用されるＰＵＣＣＨリソースを示す。上記で説明したように、本発明においては、新しいＰＵＣＣＨリソースが規定される。本明細書においては、この新しいＰＵＣＣＨリソースは、ＰＵＣＣＨフォーマット４として説明される。
【００３９】
ＰＵＣＣＨリソース・インデックス
【数４】
0006542881.tif 000005
を使用して、ＰＵＣＣＨリソースを符号分割多重化する際に、ＵＥを支援する。例えば、ＰＵＣＣＨリソース・インデックス
【数５】
0006542881.tif 000006
に従って、ＵＥは、複数のＵＥが、同一のＰＵＣＣＨリソースを符号分割多重化することができるように、アンライセンス・チャネルに対応している直交シーケンスとサイクル・シフトとを導き出す。
【００４０】
ステップＳ２０２において、ＵＥは、サービング・ノードにＲＲＣ接続再構成完了メッセージを送信する。
【００４１】
次いで、ステップＳ２０３において、ＵＥは、サブフレーム・オフセットに基づいて、対応するアンライセンス・チャネルを検知する開始ポイントを決定する。また、ステップＳ２０３において、ＵＥは、検知期間に基づいて、エネルギー検知しきい値に従って、対応するアンライセンス・チャネルを定期的に検知して、対応するアンライセンス・チャネルが空いているかどうかを決定する。
【００４２】
例えば、ＵＥが、アンライセンス・チャネルの中の他のＲＡＴノードのＲＡＴ間信号および／またはパイロットのエネルギーがエネルギー検知しきい値よりも下にあることを検知する場合、ＵＥは、このアンライセンス・チャネルが空いていると決定する。ＵＥが、アンライセンス・チャネルの中の他のＲＡＴノードのＲＡＴ間信号および／またはパイロットのエネルギーがエネルギー検知しきい値よりも上にあることを検知する場合、ＵＥは、このアンライセンス・チャネルがビジー状態にあると決定する。
【００４３】
本明細書においては、ＵＥはまた、上記パラメータを使用して、対応する複数のアンライセンス・チャネルを検知することができる。
【００４４】
ステップＳ２０４において、ＵＥは、ＰＵＣＣＨリソース・ロケーション・インジケータ
【数６】
0006542881.tif 000007
に従って、対応するアンライセンス・チャネルについてのレイヤ１チャネル指示メッセージを送信するために使用されるＰＵＣＣＨリソースを決定する。
【００４５】
レイヤ１チャネル指示メッセージを送信するために、新しいＰＵＣＣＨフォーマット４が表１に規定される。ＰＵＣＣＨフォーマット４は、ＢＰＳＫシンボルを生成することができる１ビットの情報を搬送することができる。
【００４６】
【表１】
0006542881.tif 000008
【００４７】
ＰＵＣＣＨフォーマット４の場所は、サービング・ノードによって準静的に構成される可能性がある。例えば、図３に示されるように、ＰＵＣＣＨフォーマット４の場所は、フォーマット１とフォーマット２との間に位置している。さらに、１つのＰＵＣＣＨフォーマット４リソースが、１つのアンライセンス・チャネルに対応している。
【００４８】
次いで、ステップＳ２０５において、ＵＥは、ＰＵＣＣＨリソース・インデックス
【数７】
0006542881.tif 000009
に従って、ＰＵＣＣＨリソースを符号分割多重化する。具体的には、上位層の構成されたパラメータ
【数８】
0006542881.tif 000010
を使用して、直交シーケンスおよびサイクル・シフトを導き出して、ＰＵＣＣＨリソースを符号分割多重化することにより、異なるＵＥが同じＰＵＣＣＨリソースを共用することができる。これは、異なるＵＥが、１つのアンライセンス・チャネルに関してフィードバックする必要がある場合、それらのＵＥが、対応するＰＵＣＣＨフォーマット４リソースを符号分割多重化できることを意味する。
【００４９】
また、ステップＳ２０５において、ＵＥは、対応するアンライセンス・チャネルが空いているかどうかを示すために、検知期間に基づいて、ライセンス・チャネルを経由して、符号分割多重化されたＰＵＣＣＨリソースで、レイヤ１チャネル指示メッセージをサービング・ノードに定期的に送信する。
【００５０】
有利には、レイヤ１チャネル指示メッセージは、アンライセンス・チャネルが、ビジー状態にあるか、または空いているかを示すための単純な１ビットとすることができる。これは、ＷＬＡＮトランシーバ能力を有していないサービング・ノードに適している。代わりに、ＷＬＡＮ能力を有するＷＬＡＮ  ＡＰまたは基地局では、レイヤ１チャネル指示メッセージの中に含まれる情報は、現在のＷＬＡＮにおけるＣＴＳの中の情報と同一とすることができ、例えば、情報は、アンライセンス・チャネルについての宛先フィールドと、空いている持続時間フィールドとを含む。
【００５１】
すると、サービング・ノードは、空いているアンライセンス・チャネルを通信のためにタイムリーに使用することができる。
【００５２】
本発明の好ましい一実施形態においては、ＵＥが、複数のアンライセンス・チャネルを検知した後に、ＵＥは、サービング・ノードに、複数のレイヤ１チャネル指示メッセージを送信することができる。１つのレイヤ１チャネル指示メッセージは、１つのアンライセンス・チャネルに対応している。サービング・ノードでは、ＰＵＣＣＨフォーマット４リソースとアンライセンス・チャネルとの間に対応関係が存在するので、サービング・ノードは、ＰＵＣＣＨフォーマット４の場所に基づいて、レイヤ１チャネル指示メッセージによって示されるアンライセンス・チャネルを暗黙的に導き出すことができる。
【００５３】
図４は、本発明の別の実施形態によるＬＴＥライセンス支援アクセス（ＬＡＡ）ベースの通信システムにおける高速のチャネルの測定およびフィードバックのための方法の方法フローチャートを示すものである。図４の実施形態においては、ＵＥは、非定期的に、サービング・ノードにレイヤ１チャネル指示メッセージを送信する。
【００５４】
図４に示されるように、ステップＳ４０１において、サービング・ノードは、ＵＥにＲＲＣ接続再構成メッセージを送信する。ＲＲＣ接続再構成メッセージは、以下のパラメータ、少なくとも１つのアンライセンス・チャネルに対応している少なくとも１つのエネルギー検知しきい値、を含んでいる。
【００５５】
ステップＳ４０２において、ＵＥは、サービング・ノードにＲＲＣ接続再構成完了メッセージを送信する。
【００５６】
次いで、ステップＳ４０３において、サービング・ノードは、ＵＥにアンライセンス・チャネル検知トリガ・コマンドを送信し、そのアンライセンス・チャネル検知トリガ・コマンドは、少なくとも１つのアンライセンス・チャネルを検知するようにＵＥに指示する。
【００５７】
有利には、このアンライセンス・チャネル検知トリガ・コマンドは、例えば、レイヤ２制御要素、ＭＡＣ制御要素、またはレイヤ１コマンドとすることができる。本発明の一実施形態においては、この種類のＭＡＣ制御要素は、ＭＡＣ  ＰＤＵサブヘッダに新しいロジック・チャネルＩＤを構成することにより、識別される可能性がある。図５は、本発明の一実施形態によるＭＡＣ制御要素の概略図を示すものである。Ｃｉは、このアンライセンス・チャネルが検知されるべきであることを示す場合には「１」に設定される。そうでなければ、Ｃｉは、このアンライセンス・チャネルが検知される必要がないことを示す「０」に設定される。
【００５８】
代わりに、ダウンリンク制御情報（ＤＣＩ：ｄｏｗｎｌｉｎｋ  ｃｏｎｔｒｏｌ  ｉｎｆｏｒｍａｔｉｏｎ）が使用される可能性もある。具体的には、アンライセンス・チャネル検知トリガ・コマンドは、ＤＣＩフォーマットに従って送信される。例えば、検知される必要があるアンライセンス・チャネルのＩＤが含められる可能性がある。
【００５９】
ステップＳ４０４において、ＵＥは、エネルギー検知しきい値に従って対応するアンライセンス・チャネルを検知して、対応するアンライセンス・チャネルが空いているかどうかを決定する。このステップの詳細な実装形態は、図２における対応するステップと類似しており、本明細書においては詳細に考察されないであろう。
【００６０】
ステップＳ４０５において、ＵＥは、レイヤ１チャネル指示メッセージをアップリンク・データおよび他の制御シグナリングと時分割多重化する。本明細書においては、レイヤ１チャネル指示メッセージはまた、検知される必要があるアンライセンス・チャネルの数に従って柔軟にすることもできる。例えば、１つだけのアンライセンス・チャネルが検知される必要がある場合には、１ビットを使用して、対応するアンライセンス・チャネルの状況を示す。複数のアンライセンス・チャネルが検知される必要がある場合には、複数のレイヤ１チャネル指示メッセージを送信することができ、各レイヤ１チャネル指示メッセージは、アンライセンス・チャネルのＩＤと、対応するアンライセンス・チャネルの状況とを含んでいる。代わりに、複数のビットを１つのレイヤ１チャネル指示メッセージの中で使用して、同じ時間における複数のアンライセンス・チャネルの状況を示すこともできる。
【００６１】
レイヤ１チャネル指示メッセージはさらに、サービング・ノードがＷＬＡＮトランシーバ容量を有するかどうかに従って構成され得ることもまた理解される。
【００６２】
図６は、本発明の一実施形態による、レイヤ１チャネル指示メッセージを時分割多重化する概略図を示す。図６に示されるように、ＵＥは、アップリンク・データおよび他のレガシー制御シグナリングとレイヤ１チャネル指示メッセージを時分割多重化する。
【００６３】
さらに図４を参照すると、ステップＳ４０５において、ＵＥは、ＰＵＳＣＨを通してライセンス・チャネルを経由して、時分割多重化されたレイヤ１チャネル指示メッセージを送信する。
【００６４】
すると、サービング・ノードは、空いているアンライセンス・チャネルを通信のためにタイムリーに使用することができる。
【００６５】
図７は、本発明の別の実施形態による、ＬＴＥライセンス支援アクセス（ＬＡＡ）ベースの通信システムにおける高速なチャネルの測定およびフィードバックのための装置の概略図を示すものである。
【００６６】
図７に示されるように、サービング・ノードは、ＲＲＣ接続再構成メッセージ送信ユニット７０１と、レイヤ１チャネル指示メッセージ受信ユニット７０２とを備えている。ＵＥは、ＲＲＣ再構成メッセージ受信ユニット７０４と、検知ユニット７０５と、レイヤ１チャネル指示メッセージ送信ユニット７０６とを備えている。
【００６７】
本発明によれば、高速なチャネルの測定およびフィードバックは、定期的に行うことができる。代わりに、高速なチャネルの測定およびフィードバックは、非定期的に行うこともできる。非定期的な高速なチャネルの測定およびフィードバックの実施形態においては、サービング・ノードは、アンライセンス・チャネル検知トリガ・コマンド送信ユニット７０３をさらに含んでいる。
【００６８】
最初に、定期的な高速なチャネルの測定およびフィードバックの実施形態を説明する。
【００６９】
サービング・ノードのＲＲＣ接続再構成メッセージ送信ユニット７０１は、ＵＥのＲＲＣ接続再構成メッセージ受信ユニット７０４にＲＲＣ接続再構成メッセージを送信するように構成されている。
【００７０】
本発明の定期的な高速なチャネルの測定およびフィードバックの実施形態においては、ＲＲＣ接続再構成メッセージは、少なくとも１つのエネルギー検知しきい値と、少なくとも１つの検知期間と、少なくとも１つのサブフレーム・オフセットと、少なくとも１つのＰＵＣＣＨリソース・ロケーション・インジケータと、少なくとも１つのＰＵＣＣＨリソース・インデックスとを含み、これらは、少なくとも１つのアンライセンス・チャネルに、それぞれ、対応している。
【００７１】
次いで、ＵＥのＲＲＣ再構成メッセージ受信ユニット７０４は、サービング・ノードのＲＲＣ再構成メッセージ送信ユニット７０１に対してＲＲＣ接続再構成完了メッセージを送信するように構成されている。
【００７２】
ＵＥの検知ユニット７０５は、対応するアンライセンス・チャネルが空いているかどうかを決定するために、エネルギー検知しきい値に従って対応するアンライセンス・チャネルを検知するように構成されている。
【００７３】
具体的には、ＵＥの検知ユニット７０５は、さらに、サブフレーム・オフセットに基づいて、対応するアンライセンス・チャネルを検知する開始ポイントを決定し、また対応するアンライセンス・チャネルが空いているかどうかを決定するために、検知期間に基づいて、エネルギー検知しきい値に従って、対応するアンライセンス・チャネルを定期的に検知するように構成されている。
【００７４】
次いで、ＵＥのレイヤ１チャネル指示メッセージ送信ユニット７０６は、サービング・ノードに、ライセンス・チャネルを経由してレイヤ１チャネル指示メッセージを送信するように構成されており、そのレイヤ１チャネル指示メッセージは、対応するアンライセンス・チャネルが空いているかどうかを示す。
【００７５】
具体的には、レイヤ１チャネル指示メッセージ送信ユニット７０６は、さらに、検知期間に基づいて、サービング・ノードのレイヤ１チャネル指示メッセージ受信ユニット７０２に、ライセンス・チャネルを経由して符号分割多重化されたＰＵＣＣＨリソースでレイヤ１チャネル指示メッセージを定期的に送信するために、ＰＵＣＣＨリソース・ロケーション・インジケータに従って対応するアンライセンス・チャネルについてのレイヤ１チャネル指示メッセージを送信し、またＰＵＣＣＨリソース・インデックスに従ってＰＵＣＣＨリソースを符号分割多重化するために使用されるＰＵＣＣＨリソースを決定するように構成されている。
【００７６】
以下では、非定期的な高速なチャネルの測定およびフィードバックの実施形態を説明する。
【００７７】
サービング・ノードのＲＲＣ接続再構成メッセージ送信ユニット７０１は、ＵＥのＲＲＣ接続再構成メッセージ受信ユニット７０４にＲＲＣ接続再構成メッセージを送信するように構成されている。
【００７８】
本明細書においては、ＲＲＣ接続再構成メッセージは、少なくとも１つのアンライセンス・チャネルに対応している少なくとも１つのエネルギー検知しきい値を含んでいる。
【００７９】
次いで、ＵＥのＲＲＣ再構成メッセージ受信ユニット７０４は、サービング・ノードのＲＲＣ再構成メッセージ送信ユニット７０１にＲＲＣ接続再構成完了メッセージを送信するように構成されている。
【００８０】
その後、検知を行う何らかの時点において、サービング・ノードの中のアンライセンス・チャネル検知トリガ・コマンド送信ユニット７０３は、ＵＥの検知ユニット７０５にアンライセンス・チャネル検知トリガ・コマンドを送信するように構成されており、そのアンライセンス・チャネル検知トリガ・コマンドは、少なくとも１つのアンライセンス・チャネルを検知するようにユーザ機器に指示する。
【００８１】
ＵＥの検知ユニット７０５は、対応するアンライセンス・チャネルが空いているかどうかを決定するために、エネルギー検知しきい値に従って、対応するアンライセンス・チャネルを検知するように構成されている。
【００８２】
次いで、ＵＥのレイヤ１チャネル指示メッセージ送信ユニット７０６は、サービング・ノードのレイヤ１チャネル指示受信ユニット７０２に、ライセンス・チャネルを経由してレイヤ１チャネル指示メッセージを送信するように構成されており、レイヤ１チャネル指示メッセージは、対応するアンライセンス・チャネルが空いているかどうかを示している。
【００８３】
具体的には、レイヤ１チャネル指示メッセージ送信ユニット７０６は、レイヤ１チャネル指示メッセージをアップリンク・データおよび他の制御シグナリングと時分割多重化し、ＰＵＳＣＨを通してライセンス・チャネルを経由して、時分割多重化されたレイヤ１チャネル指示メッセージを送信するように構成されている。
【００８４】
上記の実施形態は、単に例証的なものにすぎないが、本発明を限定しないことを理解すべきである。本発明の精神を逸脱することのないどのような技術的解決手法も、異なる実施形態の中に現れる異なる技術的解決手法の使用を含めて、本発明の範囲内に含まれるべきであり、また装置と方法は、役に立つように組み合わされる可能性がある。さらに、特許請求の範囲の中のどのような参照符号も、問題になっている請求項を限定するようには解釈されるべきではなく、また用語「備えている（ｃｏｍｐｒｉｓｉｎｇ）は、他の請求項（単数または複数）あるいは説明において列挙される別のデバイス（単数または複数）あるいはステップ（単数または複数）を除外することはない。
【図１】
0006542881.tif 000011
【図２】
0006542881.tif 000012
【図３】
0006542881.tif 000013
【図４】
0006542881.tif 000014
【図５】
0006542881.tif 000015
【図６】
0006542881.tif 000016
【図７】
0006542881.tif 000017